(57)【要約】  アキュムレータハウジングの内部に設けられた可撓性を有するダイアフラムがガス封入口の開口周縁部に接触したときに、ガス封入口内の空間部とガス封入室との間の差圧の発生によりダイアフラムが破損するのを防止するために、ダイアフラムがガス封入口の開口周縁部に接触した状態で、ガス封入口内の空間部とガス封入室とを連通させる連通路を、例えばダイアフラムとガス封入口の開口周縁部とのいずれか一方又は両方に設けた凹凸形状によって形成する。
2019022080.tif 000002
【特許請求の範囲】
【請求項１】
ガス封入口を設けたアキュムレータハウジングと、
圧力変動に伴う変形時に前記ガス封入口の開口周縁部に接触するように、アキュムレータハウジングの内部に設けられた可撓性を有するダイアフラムと、
前記ダイアフラムが前記ガス封入口の開口周縁部に接触した状態で、前記ガス封入口内の空間部と前記ガス封入室とを連通させる連通路と、
を備えることを特徴とするアキュムレータ。
【請求項２】
前記連絡路は、前記ダイアフラムに設けられた凹凸形状によって生成されている、
ことを特徴とする請求項１に記載のアキュムレータ。
【請求項３】
前記連絡路は、前記ガス封入口の開口周縁部に設けられた凹凸形状によって生成されている、
ことを特徴とする請求項１に記載のアキュムレータ。
【請求項４】
前記連絡路は、前記ダイアフラムと前記ガス封入口の開口周縁部との双方に設けられた凹凸形状によって生成されている、
ことを特徴とする請求項１に記載のアキュムレータ。
【請求項５】
前記凹凸形状は、複数個が放射状に設けられている、
ことを特徴とする請求項２ないし４のいずれか一に記載のアキュムレータ。
【請求項６】
前記凹凸形状は、突起の形状を有している、
ことを特徴とする請求項２ないし４のいずれか一に記載のアキュムレータ。
【請求項７】
前記凹凸形状は、溝の形状を有している、
ことを特徴とする請求項２ないし４のいずれか一に記載のアキュムレータ。
【発明の詳細な説明】
【技術分野】
【０００１】
本発明は、アキュムレータに係り、詳しくは、アキュムレータハウジングの内部に可撓性を備えるダイアフラムを設けたダイアフラム型アキュムレータに関する。本発明のアキュムレータは例えば、自動車用車載アキュムレータとして用いられる。
【背景技術】
【０００２】
ダイアフラム型アキュムレータは、例えば図４に示すように、アキュムレータハウジング２１の内部に、可撓性を備えるダイアフラム４１を設けている。ダイアフラム型アキュムレータ１１のアキュムレータハウジング２１は、ガス封入口２２およびオイルポート２３を設けている。ダイアフラム４１は、アキュムレータハウジング２１の内部空間をガス封入口２２に通じるガス封入室２４と、オイルポート２３に通じるフルード室２５とに仕切っている。【０００３】
ダイアフラム４１は一般的に、樹脂またはゴムの積層構造を有しており、外周取付部４２と、可撓部４３と、ポペット取付部４６とを一体に有している。外周取付部４２は、アキュムレータハウジング２１の側部内面に設けたダイアフラム保持部２９に保持される。可撓部４３は、アキュムレータハウジング２１の内部の圧力変動に応じて変形する。ポペット取付部４６は、可撓部４３の平面中央に設けられている。
【先行技術文献】
【特許文献】
【０００４】
【特許文献１】特開２００７−２７０８７２号公報
【発明の概要】
【発明が解決しようとする課題】
【０００５】
図４に示すアキュムレータ１１には、以下の点で改良の余地がある。【０００６】
ダイアフラム４１は、アキュムレータハウジング２１の内部に圧力変動が生じると、圧力均衡点を求めて変形する。フルード室２５側の圧力（液圧）が極端に大きくなると、図５に示すように、ダイアフラム４１は、ガス封入口２２の開口周縁部２２ａに接触する。ガス封入口２２は、ガス封入後に密栓３０で閉塞され、閉塞後も、密栓３０の内側に空間部３２を残す。【０００７】
ダイアフラム４１は、ガス封入口２２の開口周縁部２２ａに接触するとシール作用を発揮し、ガス封入口２２に設けられた空間部３２とガス封入室２４との連通を遮断する。その結果、連通を遮断された空間部３２とガス封入室２４との間に差圧が発生し、大きな差圧が発生するとダイアフラム４１が破損することがある。【０００８】
近年、アキュムレータ１１は、高圧縮対応のために、球体ではなく、扁平化構造のアキュムレータハウジング２１を用いることが多い。扁平化構造のアキュムレータハウジング２１では特に、ダイアフラム４１がガス封入口２２の開口周縁部２２ａに密着しやすい。このためこの種のアキュムレータハウジング２１では、差圧の発生によるダイアフラム４１の破損を防止することが強く望まれる。【０００９】
本発明の課題は、ダイアフラムがガス封入口の開口周縁部に接触したときに、ダイアフラムが破損するのを防止することができるアキュムレータを提供することである。
【課題を解決するための手段】
【００１０】
本発明のアキュムレータは、ガス封入口を設けたアキュムレータハウジングと、圧力変動に伴う変形時に前記ガス封入口の開口周縁部に接触するように、アキュムレータハウジングの内部に設けられた可撓性を有するダイアフラムと、前記ダイアフラムが前記ガス封入口の開口周縁部に接触した状態で、前記ガス封入口内の空間部と前記ガス封入室とを連通させる連通路と、を備える。
【発明の効果】
【００１１】
本発明によれば、ダイアフラムがガス封入口の開口周縁部に接触してもガス封入口内の空間部とガス封入室とは連通した状態に維持され、ガス封入口内の空間部とガス封入室との間に差圧が発生せず、差圧の発生によりダイアフラムが破損するのを防止することができる。
【図面の簡単な説明】
【００１２】
【図１】実施の一形態を示すアキュムレータの断面図。
【図２】（Ａ）はアキュムレータにおけるダイアフラムに設けられる突起を示す平面図、（Ｂ）はその断面図。
【図３】アキュムレータの作動状態を示す要部断面図。
【図４】背景技術として示すアキュムレータの断面図。
【図５】アキュムレータの作動状態を示す要部断面図。
【発明を実施するための形態】
【００１３】
図１は、実施の一形態のアキュムレータ１１の全体断面図を示している。アキュムレータ１１は、アキュムレータハウジング２１の内部に可撓性を備えるダイアフラム４１を設けたダイアフラム型アキュムレータである。
【００１４】
アキュムレータ１１は、ガス封入口２２およびオイルポート２３を中心軸線上に設けたアキュムレータハウジング２１を有している。アキュムレータハウジング２１の内部には、ダイアフラム４１が設けられている。ダイアフラム４１は、アキュムレータハウジング２１の内部空間を、ガス封入口２２に通じるガス封入室（ガス室）２４とオイルポート２３に通じるフルード室（液室）２５とに仕切る。
【００１５】
アキュムレータハウジング２１の内面は、金属部品の絞り加工によってシェル２６を形成することから、断面円弧形の曲面２７，２８の組み合わせ形状を有している。アキュムレータハウジング２１の最大内径部には、ダイアフラム４１を保持するための断面Ｌ字のフック状を呈する環状のダイアフラム保持部（ホルダ）２９が設けられている。ハウジング２１内面に形成される曲面は、ガス封入口側の曲面２７とオイルポート側の曲面２８との組み合わせ形状を有している。曲面２７は、ガス封入口２２側からオイルポート２３側へかけて内径寸法が徐々に拡大する向きに生成されている。曲面２８は反対に、オイルポート２３側からガス封入口２２側へかけて内径寸法が徐々に拡大する向きに生成されている。オイルポート側の曲面２８は、円筒面からの絞り加工によって形成されている。
【００１６】
ガス封入口２２はガス封入後、密栓３０で閉塞され、外側にカバー３１が被せられている。密栓３０による閉塞後も、密栓３０の内側には、空間部３２が設けられている。
【００１７】
ダイアフラム４１は、樹脂またはゴムの積層構造を有している。ダイアフラム４１は、環状の外周取付部４２と、可撓部４３と、断面略Ｕ字形を呈する環状の反転部４４とを一体に有している。外周取付部４２は、ダイアフラム保持部２９に保持される。可撓部４３は、アキュムレータハウジング２１内部の圧力変動に応じて変形する。反転部４４は、外周取付部４２と可撓部４３との間に設けられ、可撓部４３と共に変形する。可撓部４３は、その平面中央に、ダイアフラム４１がオイルポート２３の透孔にはみ出すのを抑制するポペット４５を取り付けたポペット取付部４６を設けている。ダイアフラム４１は、ブラダとも称される。
【００１８】
ポペット取付部４６のガス封入室２４側の面（図における上面）は、平面状に形成されるのが一般である。この面が平面状に形成された場合には上記したように、アキュムレータ１１の作動時、フルード室２５側の圧力（液圧）が極端に大きくなったときに、ポペット取付部４６がガス封入口２２の開口周縁部２２ａに接触してシール作用をなす。この場合、ガス封入口２２による空間部３２とガス封入室２４との連通が遮断され、差圧を発生させることがある。
【００１９】
本実施の形態のアキュムレータ１１は、ダイアフラム４１がガス封入口２２の開口周縁部２２ａに接触した状態で、ガス封入口２２による空間部３２とガス封入室２４とを連通させる連通路５１を設けている。この連通路５１は、ダイアフラム４１に設けた凹凸形状、より詳細には突起５２によって生成されている。
【００２０】
図２（Ａ）（Ｂ）に示すように、ダイアフラム４１は、ポペット取付部４６の平面上にリブ状を呈する突起５２を複数（図では４等配）放射状に一体に形成している。互いに隣り合う突起５２間の空間は、ガス封入口２２による空間部３２とガス封入室２４とを連通させる連通路５１を構成する。
【００２１】
作用として、図３に示すように、ダイアフラム４１がガス封入口２２の開口周縁部２２ａに接触したとき、連通路５１は、ガス封入口２２による空間部３２とガス封入室２４とを連通させる。このためガス封入口２２による空間部３２とガス封入室２４とは、ダイアフラム４１がガス封入口２２の開口周縁部２２ａに接触しても、連通したままの状態を維持する。その結果ガス封入口２２による空間部３２とガス封入室２４との間に差圧が発生するのを抑制することでき、差圧の発生によりダイアフラム４１が破損するのを防止することができる。このような作用を奏するアキュムレータ１１は、近年におけるハウジング扁平化構造にも対応することができる。
【００２２】
別の実施の形態として、凹凸形状として設けられた突起５２は、ガス封入口２２の開口周縁部２２ａに設けても良く、ダイアフラム４１およびガス封入口２２の開口周縁部２２ａの双方に設けても良い。
【００２３】
さらに別の実施の形態として、凹凸形状は、突起５２の代わりに、溝（図示せず）であっても良い。
【符号の説明】
【００２４】
１１  アキュムレータ
２１  アキュムレータハウジング
２２  ガス封入口
２２ａ  開口周縁部
２３  オイルポート
２４  ガス封入室
２５  フルード室
２６  シェル
２７，２８  曲面
２９  ダイアフラム保持部
３０  密栓
３１  カバー
３２  空間部
４１  ダイアフラム
４２  外周取付部
４３  可撓部
４４  反転部
４５  ポペット
４６  ポペット取付部
５１  連通路
５２  突起
【図１】
2019022080.tif 000003
【図２】
2019022080.tif 000004
【図３】
2019022080.tif 000005
【図４】
2019022080.tif 000006
【図５】
2019022080.tif 000007
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
ガス封入口を設けたアキュムレータハウジングと、
圧力変動に伴う変形時に前記ガス封入口の開口周縁部に接触するように、アキュムレータハウジングの内部に設けられた可撓性を有するダイアフラムと、
前記ダイアフラムが前記ガス封入口の開口周縁部に接触した状態で、前記ガス封入口内の空間部と前記ガス封入室とを連通させる連通路と、
を備えることを特徴とするアキュムレータ。
【請求項２】
前記連通路は、前記ダイアフラムに設けられた凹凸形状によって生成されている、
ことを特徴とする請求項１に記載のアキュムレータ。
【請求項３】
前記連通路は、前記ガス封入口の開口周縁部に設けられた凹凸形状によって生成されている、
ことを特徴とする請求項１に記載のアキュムレータ。
【請求項４】
前記連通路は、前記ダイアフラムと前記ガス封入口の開口周縁部との双方に設けられた凹凸形状によって生成されている、
ことを特徴とする請求項１に記載のアキュムレータ。
【請求項５】
前記凹凸形状は、複数個が放射状に設けられている、
ことを特徴とする請求項２ないし４のいずれか一に記載のアキュムレータ。
【請求項６】
前記凹凸形状は、突起の形状を有している、
ことを特徴とする請求項２ないし４のいずれか一に記載のアキュムレータ。
【請求項７】
前記凹凸形状は、溝の形状を有している、
ことを特徴とする請求項２ないし４のいずれか一に記載のアキュムレータ。
【国際調査報告】
2019022080.tif 000008
2019022080.tif 000009
2019022080.tif 000010